(57)【要約】【課題】無線タグとＩＣカードを共に収容することができ、且つ無線タグの読み取りに際して人体の影響を極力抑制しうるカードホルダを提供する。【解決手段】カードホルダ１は、ＩＣカードＣａを保持するＩＣカード保持部１０と、ＩＣカード保持部１０と一体的に構成され、ＩＣカードＣａと重ならない位置で無線タグＴａを保持する無線タグ保持部２０と、無線タグ保持部２０及びＩＣカード保持部１０を取付対象者に取り付ける取付部材３０とを備えている。そして、無線タグ保持部２０は、ＩＣカード保持部１０によって保持されるＩＣカードＣａの板面方向に対して傾斜する方向に延出した構成をなしている。【選択図】図２
2011059972.tif 000002
【特許請求の範囲】
【請求項１】
非接触通信が可能なＩＣカードと、無線タグとを収納するカードホルダであって、
前記ＩＣカードを保持するＩＣカード保持部と、
前記ＩＣカード保持部と一体的に構成され、前記ＩＣカードと重ならない位置で前記無線タグを保持する無線タグ保持部と、
前記無線タグ保持部及び前記ＩＣカード保持部を取付対象者に取り付ける取付部材と、
を備え、
前記無線タグ保持部が、前記ＩＣカード保持部によって保持される前記ＩＣカードの板面方向に対し、傾斜する方向又は直交する方向に延出していることを特徴とするカードホルダ。
【請求項２】
前記無線タグ保持部及び前記ＩＣカード保持部は、いずれも板状に構成されており、
前記ＩＣカード保持部の端部から折れ曲がった形態で前記無線タグ保持部が配置されていることを特徴とする請求項１に記載のカードホルダ。
【請求項３】
前記ＩＣカード保持部の板面と、前記無線タグ保持部の板面とのなす角度が鈍角となるように構成されていることを特徴とする請求項１又は請求項２に記載のカードホルダ。
【請求項４】
前記取付部材は、前記無線タグ保持部を前記取付対象者に取り付けるように当該無線タグ保持部に固定されていることを特徴とする請求項１から請求項３のいずれか一項に記載のカードホルダ。
【請求項５】
前記取付部材は、前記無線タグ保持部を前記取付対象者から吊り下げる構成をなし、
前記ＩＣカード保持部は、その吊り下げらた前記無線タグ保持部の下方に配置されることを特徴とする請求項４に記載のカードホルダ。
【請求項６】
前記無線タグ保持部の上下方向の長さよりも、前記ＩＣカード保持部の上下方向の長さのほうが大きいことを特徴とする請求項４又は請求項５に記載のカードホルダ。
【発明の詳細な説明】
【技術分野】
【０００１】
本発明は、ＩＣカードを保持するカードホルダに関するものである。
【背景技術】
【０００２】
現在、入退出管理や設備使用管理等、様々な用途でＩＣカードが用いられており、そのＩＣカードを保持するカードホルダも様々なものが提供されている。例えば、ＩＣカードを、常時所持し且つ頻繁に翳すような用途（例えば社員証など）で使用する場合、首から吊り下げたり、或いは服などに取り付ける構成のカードホルダが広く用いられている。
【先行技術文献】
【特許文献】
【０００３】
【特許文献１】特開２００８−２６２４００公報
【発明の概要】
【発明が解決しようとする課題】
【０００４】
ところで、上記ＩＣカードは利用目的の異なる無線タグと併用される場合があり、この場合、ＩＣカードと無線タグを一体的に保持するカードホルダが必要となる。このようなカードホルダとしては、例えば特許文献１のようなものが提供されており、この技術では、カードホルダを全体的に平坦な形状とすると共に、一部領域にＩＣカードを収容部を設け、ＩＣカードの収容部から外れた領域に無線タグを収容している。このような構成とすると、ＩＣカードと無線タグをカードホルダによって一体的に保持することができ、更に、ＩＣカードと無線タグを重ねずに配置しているため、これらを重ねて収容する構成と比較して通信不良を生じにくくすることができる。
【０００５】
しかしながら、ＩＣカードと無線タグを併用する場合、上記のような媒体同士の干渉に起因する通信不良のみならず、人体に起因する通信不良も問題となる。例えば、ＩＣカードや無線タグを収容するカードホルダは、首からの吊り下げ、或いは服への取り付け等の使用方法が一般的であり、人体に近接した状態で使用されることが多い。しかしながら、カードホルダに収容される無線タグは、人体に密着しすぎると人体の水分等の影響を受けやすくなり、通信が阻害されるという問題があった。
【０００６】
本発明は、上述した課題を解決するためになされたものであり、無線タグとＩＣカードを共に収容することができ、且つ無線タグの読み取りに際して人体の影響を極力抑制しうるカードホルダを提供することを目的とする。
【課題を解決するための手段】
【０００７】
請求項１の発明は、非接触通信が可能なＩＣカードと、無線タグとを収納するカードホルダであって、前記ＩＣカードを保持するＩＣカード保持部と、前記ＩＣカード保持部と一体的に構成され、前記ＩＣカードと重ならない位置で前記無線タグを保持する無線タグ保持部と、前記無線タグ保持部及び前記ＩＣカード保持部を取付対象者に取り付ける取付部材と、を備え、前記無線タグ保持部が、前記ＩＣカード保持部によって保持される前記ＩＣカードの板面方向に対し、傾斜する方向又は直交する方向に延出していることを特徴としている。
【０００８】
請求項２の発明は、請求項１に記載のカードホルダであって、前記無線タグ保持部及び前記ＩＣカード保持部が、いずれも板状に構成されており、前記ＩＣカード保持部の端部から折れ曲がった形態で前記無線タグ保持部が配置されていることを特徴としている。
【０００９】
請求項３の発明は、請求項１又は請求項２に記載のカードホルダであって、前記ＩＣカード保持部の板面と、前記無線タグ保持部の板面とのなす角度が鈍角となるように構成されていることを特徴としている。
【００１０】
請求項４の発明は、請求項１から請求項３のいずれか一項に記載のカードホルダであって、前記取付部材が、前記無線タグ保持部を前記取付対象者に取り付けるように当該無線タグ保持部に固定されていることを特徴としている。
【００１１】
請求項５の発明は、請求項４に記載のカードホルダであって、前記取付部材が、前記無線タグ保持部を前記取付対象者から吊り下げる構成をなし、前記ＩＣカード保持部が、その吊り下げらた前記無線タグ保持部の下方に配置されることを特徴としている。
【００１２】
請求項６の発明は、請求項４又は請求項５に記載のカードホルダであって、前記無線タグ保持部の上下方向の長さよりも、前記ＩＣカード保持部の上下方向の長さのほうが大きいことを特徴としている。
【発明の効果】
【００１３】
請求項１の発明では、ＩＣカードを保持するＩＣカード保持部と、無線タグを保持する無線タグ保持部とが一体的に構成され、無線タグ保持部がＩＣカードと重ならない位置で無線タグを保持する構成をなしており、更に、これらを取付対象者に取り付ける取付部材が備えられている。従って、ＩＣカードの使用者が、ＩＣカードと共に無線タグを一緒に所持できるようになり、かつ媒体相互の干渉に起因する通信不良を抑えることができる。
更に、無線タグ保持部は、ＩＣカード保持部によって保持されるＩＣカードの板面方向に対し、傾斜する方向又は直交する方向に延出した構成をなしている。ＩＣカード保持部と一体的に形成される無線タグ保持部をＩＣカードの板面に沿わないような傾斜構成または直交構成とすると、無線タグ保持部に保持される無線タグが人体に密着しにくくなり、無線タグの通信に際し人体の水分等の影響が抑えられる。
【００１４】
請求項２の発明は、無線タグ保持部及びＩＣカード保持部が、いずれも板状に構成されており、ＩＣカード保持部の端部から折れ曲がった形態で無線タグ保持部が配置されている。このようにすると、カードホルダが人体に密着しにくい構成を簡易に且つそれほど大型化を伴うことなく実現できる。
【００１５】
請求項３の発明では、ＩＣカード保持部の板面と、無線タグ保持部の板面とのなす角度が鈍角となるように構成されている。このようにすると、カードホルダが人体に密着しにくい構成を、それほど嵩張らせることなく実現でき、使いやすい構成とすることができる。
【００１６】
請求項４の発明では、取付部材が無線タグ保持部に固定されており、無線タグ保持部を取付対象者に取り付けるように構成されている。このようにすると、ＩＣカード側が取付部材から離れた構成となるため、ＩＣカード保持部の移動の自由度が大きくなり、ＩＣカードの操作（例えば、ＩＣカードを翳す操作、取り外す操作等）を行いやすくなる。
【００１７】
請求項５の発明では、取付部材が無線タグ保持部を取付対象者から吊り下げ、その吊り下げられた無線タグ保持部の下方にＩＣカード保持部が配置される構成となっている。このようにすると、ＩＣカードの移動の自由度がより一層大きくなり、操作性を一層高めることができる。一方、このような構成とすると、所持者の動きに応じてカードホルダの位置や向きが変わりやすいため、このようなカードホルダの変化に伴って無線タグと人体とが密着状態で維持されてしまうことが懸念される。しかしながら、本発明では、ＩＣカードの板面方向に対して常に無線タグ保持部が傾斜方向又は直交方向に延出しているため、カードホルダが移動したり裏返ったとしても無線タグと人体とが密着しにくく、無線タグの通信が良好に保たれやすくなる。
【００１８】
請求項６の発明では、更に、無線タグ保持部の上下方向の長さよりも、ＩＣカード保持部の上下方向の長さのほうが大きくなっている。このように上下に長いＩＣカード保持部を下方に配置すると、無線タグ保持部が人体から離れた状態で安定化しやすくなる。
【図面の簡単な説明】
【００１９】
【図１】図１は、第１実施形態に係るカードホルダを概略的に例示する正面図である。
【図２】図２は、図１のカードホルダの側面図である。
【図３】図３は、図１のＡ−Ａ位置で切断した切断面を概略的に示す断面概略図である。
【図４】図４（ａ）は、図１のカードホルダが使用者に取り付けられた様子を説明する説明図であり、図４（ｂ）は、カードホルダがカードリーダに翳された様子を説明する説明図である。
【図５】図５は、第２実施形態に係るカードホルダを概略的に例示する正面図である。
【図６】図６（ａ）は、図５のカードホルダが所持された様子を説明する説明図である。図６（ｂ）は、図６（ａ）の状態からカードホルダが裏返った様子を説明する説明図である。
【発明を実施するための形態】
【００２０】
[第１実施形態]
以下、本発明のカードホルダを具現化した第１実施形態について、図面を参照して説明する。なお、図１は、第１実施形態に係るカードホルダを概略的に例示する正面図であり、図２は、図１のカードホルダの側面図である。また、図３は、図１のＡ−Ａ位置で切断した切断面を概略的に示す断面概略図である。また、図４（ａ）は、図１のカードホルダが使用者に取り付けられた様子を説明する説明図であり、図４（ｂ）は、カードホルダがカードリーダに翳された様子を説明する説明図である。
【００２１】
図１に示すカードホルダ１は、非接触通信可能に構成されたＩＣカードＣａを収納するＩＣカードホルダとして構成されるものであり、後述する取付部材３０によって例えば使用者の服などに取り付けられて使用されるものである。このカードホルダ１に収納されるＩＣカードＣａは、公知のＩＣカードリーダによって読み取り或いは書き込みが可能な非接触通信媒体として構成されるものであり、例えば、アンテナ，電源回路，復調回路，制御回路，メモリ，変調回路，負荷変調回路などを備え、図４（ｂ）のようなカードリーダ１１０から信された搬送波をアンテナを介して受信すると共に、電源回路において搬送波を整流して動作用電源を生成し駆動する構成をなしている。
【００２２】
更に、本実施形態に係るカードホルダ１は、上記ＩＣカードＣａだけでなく、ＩＣカードＣａ以外の非接触通信媒体（無線タグＴａ）も収納可能に構成されている。この無線タグＴａは、公知のＲＦＩＤタグとして構成されており、図示しないＲＦＩＤリーダライタと例えばＵＨＦ帯で無線通信を行う構成をなしている。なお、カードホルダ１に収納される無線タグＴａは様々な用途のものが挙げられ、使用者が常時身に着けて使用する無線タグを収納すると利便性の面で有利である。例えば、室内に出入りする通行者が所持する無線タグと無線通信を行い、その通信結果に基づいて通行者が許可された者か否かを判断する入退室管理システムでは、当該システムの利用に際し利用者が通過許可の判断に用いる無線タグを常時所持している必要があるが、このようなシステムで用いられる無線タグを、当該システム利用者が別途所持するＩＣカード（例えば社員証などのＩＣカード）と共に本実施形態に係るカードホルダ１で保持するようにすれば、利便性を格段に高めることができる。
【００２３】
図１、図２に示すように、カードホルダ１は、上記ＩＣカードＣａを保持するＩＣカード保持部１０と、上記無線タグＴａを保持する無線タグ保持部２０とを備えており、これらが一体的に連結した構成をなしている。これらＩＣカード保持部１０及び無線タグ保持部２０は、透明性を有する樹脂部材などからなり、例えば、一体成型などによって一体的に連結されている。本実施形態では、ＩＣカード保持部１０と無線タグ保持部２０とが所定方向に並んでおり、無線タグ保持部２０は、ＩＣカード保持部１０に保持されるＩＣカードＣａと重ならない位置で無線タグＴａを保持している。なお、本実施形態では、ＩＣカード保持部１０と無線タグ保持部２０との並び方向を上下方向としており、取付部材３０が取り付けられる側を上方側、それとは反対側を下方側としている。
【００２４】
カードホルダ１の一部をなすＩＣカード保持部１０は、図１、図２に示すように、全体として板状に構成されており、このＩＣカード保持部１０の板面方向と、同じく板状形態をなすＩＣカードＣａの板面方向とがほぼ平行となるようにＩＣカードＣａを収納している。なお、ＩＣカード保持部１０の板面方向とＩＣカードＣａの板面方向とがほぼ平行となるようにＩＣカードＣａを収納しうる構成であれば収納構成は特に限定されないが、例えば、図３のように板状部材１１、１２を厚さ方向に重ねて配置すると共にこれら板状部材１１、１２の外周部を一部（幅方向一端側の側部）を除いて連結させ、幅方向一端側の側部に形成された差込口からＩＣカードＣａを差し込むようにするとよい。
【００２５】
図１、図２に示すように、無線タグ保持部２０も全体として板状に構成されており、図２、図３に示すように、ＩＣカード保持部１０の端部から折れ曲がった形態で配置されている。より具体的には、図２に示すように、ＩＣカード保持部１０の板面と、無線タグ保持部２０の板面とのなす角度θ１が鈍角となる構成で、側面が「く」の字状となるように形成されている。このθ１は、例えば１３０度〜１４０度の範囲とすると、より使いやすい構成となる。
【００２６】
この無線タグ保持部２０も、当該無線タグ保持部２０の板面方向と、板状形態をなす無線タグＴａの板面方向とがほぼ平行となるように無線タグＴａを収納している。なお、無線タグ保持部２０の板面方向と無線タグＴａの板面方向とがほぼ平行となるように無線タグＴａを収納する構成も特に限定されず、例えば、図３のように板状部材２１、２２を厚さ方向に重ねて配置すると共にこれら板状部材２１、２２の外周部を一部（幅方向一端側の側部）を除いて連結させ、幅方向一端側の側部に形成された差込口から無線タグＴａ差し込むようにするとよい。
【００２７】
本実施形態に係るカードホルダ１では、上記ＩＣカード保持部１０及び無線タグ保持部２０からなる一体保持部３が、取付部材３０によって使用者（保持者）の服などに取り付け可能とされている。この取付部材３０は、例えば、ポケット等を挟み込むことが可能なクリップなどによって構成されており、直接或いはベルトなどを介して間接的に無線タグ保持部２０の上端部中央付近に取り付けられている。
【００２８】
取付部材３０は、例えば図４（ａ）のようにカードホルダ１の上端部を使用者１００に取り付けており、この例では、取付部材３０が使用者１００の服などに取り付けられることで、無線タグ保持部２０の上端部が使用者１００に近接する位置で固定されるようになっている。また、本実施形態では、カードホルダ１の重心位置が無線タグ保持部２０の上端部とＩＣカード保持部１０の下端部とを通る面Ｆ２（図２）よりも折れ曲がり部分３ａ側に寄った位置となっており、更に、無線タグ保持部２０の上下方向の長さＨ１よりもＩＣカード保持部１０の上下方向の長さＨ２の方が長く、ＩＣカード保持部１０のほうが無線タグ保持部２０よりもやや重くなっている。この構成では、図４（ａ）のように無線タグ保持部２０の上端部側を使用者１００に取り付けたときに、カードホルダ１の下端部（即ち、ＩＣカード保持部１０の下端部）側が使用者１００に接近するように作用し、ＩＣカード保持部１０が使用者１００から浮き上がりにくく安定的に位置決めされるようになっている。
【００２９】
このような本実施形態の構成によれば、図２、図４（ａ）のように、ＩＣカード保持部１０によって保持されるＩＣカード１０の板面方向（図２のＦ１の方向）に対し、常に、無線タグ保持部２０が傾斜した状態が維持されることとなり、更に、上述の安定的位置決め作用により、図４（ａ）のようにカードホルダ１の上端部と下端部とが使用者１００に当接又は近接した状態で維持されやすいため、無線タグ保持部２０が人体から離れる側に浮き上がった構成で維持されることとなる。なお、本実施形態では、カードホルダ１の上端部と下端部とを通る仮想平面Ｆ２から折れ曲がり部３ａ（折れ曲がる部分の頂上）までの距離Ｌ１（即ちカードホルダ１の上端部及び下端部からの浮き上がりの程度）が例えば２ｃｍ程度とされている。また、無線タグ保持部２０の上下方向の長さＨ１は、距離Ｌ１の約２倍（４ｃｍ程度）とされており、ＩＣカード保持部１０の上下方向の長さＨ２は、距離Ｌ１の４倍〜５倍（例えば、９ｃｍ程度）とされている。また、無線タグ保持部２０及びＩＣカード保持部１０の幅は、距離Ｌ１の４倍〜５倍（例えば、９．５ｃｍ程度）とされている。
【００３０】
また、ＩＣカード保持部１０側は、無線タグ保持部２０の距離分だけ取付部材３０から離れており、図４（ｂ）のようにある程度使用者１００から離す操作が可能であるため、図４（ｂ）のようにＩＣカード保持部１０に保持されるＩＣカードＣａをＩＣカードリーダ１１０に翳しやすくなっている。
【００３１】
（第１実施形態の主な効果）
本実施形態に係るカードホルダ１では、ＩＣカードＣａを保持するＩＣカード保持部１０と、無線タグＴａを保持する無線タグ保持部２０とが一体的に構成されている。そして、無線タグ保持部２０が、ＩＣカードＣａと重ならない位置で無線タグＴａを保持する構成をなしており、更に、これらＩＣカード保持部１０及び無線タグ保持部２０を取付対象者に取り付けるための取付部材３０が設けられている。従って、ＩＣカードＣａの使用者が、ＩＣカードＣａと共に無線タグＴａを一緒に所持できるようになり、かつ媒体相互の干渉に起因する通信不良を抑えることができる。
更に、無線タグ保持部２０は、ＩＣカード保持部１０によって保持されるＩＣカードＣａの板面方向に対し、傾斜する方向に延出した構成をなしている。このように、ＩＣカード保持部１０と一体的に形成される無線タグ保持部２０をＩＣカードＣａの板面に沿わないような傾斜構成とすると、無線タグ保持部２０に保持される無線タグＴａが人体に密着しにくくなるため、無線タグＴａの通信に際し人体の水分等の影響が抑えられ、ひいては、人体の水分等に起因する通信不良を効果的に防止することができる。
【００３２】
また、本実施形態では、、無線タグ保持部２０及びＩＣカード保持部１０が、いずれも板状に構成されており、ＩＣカード保持部１０の端部から折れ曲がった形態で無線タグ保持部２０が配置されている。このようにすると、カードホルダが人体に密着しにくい構成を簡易に且つそれほど大型化を伴うことなく実現できる。
【００３３】
また、本実施形態では、ＩＣカード保持部１０の板面と、無線タグ保持部２０の板面とのなす角度が鈍角となるように構成されている。このようにすると、ＩＣカード保持部１０に対する無線タグ保持部２０の傾斜がきつくなりすぎたり、ＩＣカード保持部１０に対して無線タグ保持部２０が突出しすぎることがなく、カードホルダが人体に密着しにくい構成を、それほど嵩張らせることなく且つ使いやすい構成で実現できる。
【００３４】
更に本実施形態では、取付部材３０が無線タグ保持部２０に固定されており、無線タグ保持部２０を取付対象者に取り付けるように構成されている。このようにすると、ＩＣカードＣａ側が取付部材３０から離れた構成となるため、ＩＣカード保持部１０の移動の自由度が大きくなり、ＩＣカードＣａの操作（例えば、ＩＣカードを翳す操作、取り外す操作等）を行いやすくなる。
【００３５】
［第２実施形態]
次に第２実施形態について説明する。
図５は、第２実施形態に係るカードホルダ２００を概略的に例示する正面図であり、図６（ａ）は、図５のカードホルダ２００が所持された様子を説明する説明図である。図６（ｂ）は、図６（ａ）の状態からカードホルダ２００が裏返った様子を説明する説明図である。
【００３６】
第２実施形態に係るカードホルダ２００は、第１実施形態でクリップ等として構成されていた取付部材３０を、紐状の可撓性部材からなる取付部材２３０に変更した点が第１実施形態と異なり、それ以外は第１実施形態と同一である（例えば、一体保持部３の構成は第１実施形態と同一である）。よって第１実施形態と同一の部分については、第１実施形態と同一の符号を付し詳細な説明は省略する。
【００３７】
本実施形態で用いられる取付部材２３０は、例えば、カードホルダ２００を使用者の首から吊り下げるための吊り紐（ストラップ）として構成されるものであり、無線タグ保持部２０の上端部、又は無線タグ保持部２０の上端部に取り付けられたストラップ取付部材に取り付けられる構成で全体として輪状形態をなしている。この取付部材２３０は、使用者１００（取付対象者）が当該取付部材２３０を首にかけたときに、当該取付部材２３０が取り付けられた無線タグ保持部２０をその使用者１００（取付対象者）から吊り下げる構成をなしており、このとき、その吊り下げらた無線タグ保持部２０の下方に、ＩＣカード保持部１０が配置されるようになっている。
【００３８】
（第２実施形態の主な効果）
本実施形態でも第１実施形態と同様の効果が得られ、ＩＣカードＣａの使用者が、ＩＣカードＣａと共に無線タグＴａを一緒に所持できると共に、媒体相互の干渉に起因する通信不良を抑えることができ、更に、無線タグＴａの通信に際し人体の水分等の影響を抑えることができる。
【００３９】
また、本実施形態では、取付部材２３０が無線タグ保持部２０を取付対象者から吊り下げ、その吊り下げられた無線タグ保持部２０の下方にＩＣカード保持部１０が配置される構成となっている。このようにすると、図６（ａ）のように、ＩＣカードＣａの移動の自由度がより一層大きくなり、操作性を一層高めることができる。なお、図６（ａ）では、ＩＣカードＣａを操作していないときの配置例を実線にて示しており、非操作時（ＩＣカードＣａを把持していないとき）にはこのような位置に戻りやすくなっている。また、所持者によって操作されたときの例を二点鎖線２３０'にて概念的に示しており、本実施形態では、このように、より広い範囲でＩＣカードＣａが保持される部分（二点鎖線１０'）を操作できるようになっている。
【００４０】
一方、このような構成とすると、所持者の動きに応じてカードホルダ２００の位置や向き（具体的には一体保持部３の位置や向き）が変わりやすいため、このようなカードホルダの変化に伴って無線タグＴａと人体とが密着状態で維持されてしまうことが懸念される。しかしながら、本発明では、ＩＣカードＣａの板面方向に対して常に無線タグ保持部２０が傾斜方向に延出しているため、カードホルダ２００が移動したり裏返ったとしても無線タグと人体とが密着しにくく、無線タグの通信が良好に保たれやすくなる。
【００４１】
また、本実施形態でも、図５に示すように、無線タグ保持部２０の上下方向の長さＨ１よりも、ＩＣカード保持部１０の上下方向の長さＨ２のほうが大きくなっている。このように上下に長いＩＣカード保持部１０を下方に配置すると、無線タグ保持部２０が人体から離れた状態で安定化しやすくなる。特に、本実施形態では、一体保持部３が裏返りやすい構成を採用しているため、一体保持部３が裏返ったときに無線タグ保持部２０が人体と密着してしまうことが懸念されるが、無線タグ保持部２０に対して上下に長く且つ重量も大きいＩＣカード保持部１０を下方に配置しているため、仮に図６（ｂ）のように一体保持部３が裏返ったとしても、無線タグ保持部２０が人体から離れて前方に浮きやすくなる。
【００４２】
［他の実施形態]
本発明は上記記述及び図面によって説明した実施形態に限定されるものではなく、例えば次のような実施形態も本発明の技術的範囲に含まれる。
【００４３】
上記実施形態では、無線タグ保持部２０が上方に配置され、ＩＣカード保持部１０が下方に連結された構成を例示したが、この逆でもよい。すなわち、ＩＣカード保持部が上方に配置され、無線タグ保持部が下方に連結していてもよい。この場合、ＩＣカード保持部に取付部材を取り付ければよい。
【００４４】
上記実施形態では、無線タグ保持部とＩＣカード保持部とが上下に並んで配される構成を例示したが、これらが左右に並ぶような構成であってもよい。例えば、図１、図２の折れ曲がり部付近に取付部材２３０（図５）を取り付けて吊り下げるような構成であってもよい。
【００４５】
上記実施形態では、ＩＣカード保持部１０によって保持されるＩＣカードＣａの板面方向に対し、無線タグ保持部２０が傾斜していたが、ＩＣカード保持部１０によって保持されるＩＣカードＣａの板面方向に対し、無線タグ保持部２０が直交していてもよい。例えば、ＩＣカード保持部の板面方向と無線タグ保持部の板面方向とが直交するような構成とし、ＩＣカード及び無線タグをそれぞれに収納するようにしてもよい。
【００４６】
上記実施形態では、ＩＣカード保持部１０や無線タグ保持部２０の側部からＩＣカードや無線タグを差し込む構成としたがこの構成に限られない。例えば、ＩＣカード保持部１０や無線タグ保持部２０にＩＣカードＣａや無線タグＴａを挿入するポケットを設け、上方から差し込むような構成としてもよい。
【符号の説明】
【００４７】
１,２００…カードホルダ
１０…ＩＣカード保持部
２０…無線タグ保持部
３０,２３０…取付部材
Ｃａ…ＩＣカード
Ｔａ…無線タグ
【図１】
2011059972.tif 000003
【図２】
2011059972.tif 000004
【図３】
2011059972.tif 000005
【図４】
2011059972.tif 000006
【図５】
2011059972.tif 000007
【図６】
2011059972.tif 000008